(57)【要約】【課題】  確実かつ短時間に、廃材から木材チップを取り出すことのできる装置を提供する。【解決手段】  支持台７０の上に設けられ、揺動機構２０によって揺動する揺動基枠１０と、揺動基枠１０に、下流側に向けて下降傾斜する姿勢で固定され、上流側の上面を、左右方向に傾斜する傾斜ガイド３３で仕切り、傾斜ガイド３３より上流側に吹出口散設板３２を設け、下流側を篩本体３１とした篩板３０と、篩板３０の下位に、篩板３０と平行に設けた傾斜樋４０と、吹出口散設板３２の直下から、吹出口散設板３２の孔部３２ａを通して上方に空気を送る第一送風機構５０と、吹出口散設板３２の上面で、傾斜ガイド３３の下流寄り端部Ｄから上流寄り端部Ｕに向けて空気を送る第二送風機構６０と、で構成する。【選択図】      図１
0003134469.tif 000002
【実用新案登録請求の範囲】
【請求項１】
廃材Ｓから木材チップＣを取り出すための装置であって、支持台の上に設けられ，揺動機構によって揺動する揺動基枠と、前記揺動基枠に，下流側に向けて下降傾斜する姿勢で固定され，上流側の上面を，左右方向に傾斜する傾斜ガイドで仕切り，該傾斜ガイドより上流側に吹出口散設板を設け，下流側を篩本体とした篩板と、前記篩板の下位に，該篩板と平行に設けた傾斜樋と、前記吹出口散設板の直下から，該吹出口散設板の孔部を通して上方に空気を送る第一送風機構と、前記吹出口散設板の上面で，前記傾斜ガイドの下流寄り端部から上流寄り端部に向けて空気を送る第二送風機構と，を備えてなる木材チップ用異物分離装置。
【請求項２】
廃材Ｓから木材チップＣを取り出すための装置であって、支持台の上に設けられ，揺動機構によって揺動する揺動基枠と、前記揺動基枠に，下流側に向けて下降傾斜する姿勢で固定され，上流側の上面を，左右方向に傾斜する傾斜ガイドで仕切り，該傾斜ガイドより上流側に吹出口散設板を設け，下流側を篩本体とした篩板と、前記篩板の下位に，該篩板と平行に設けた傾斜樋と、前記吹出口散設板の直下から，該吹出口散設板の孔部を通して上方に空気を送る第一送風機構と、前記吹出口散設板の上面で，前記傾斜ガイドの下流寄り端部から上流寄り端部に向けて空気を送る第二送風機構と，を備え、前記揺動機構を，前記支持台の中心部から立設され，モーターによって回転する回転主軸から水平方向に腕片を横設し，該腕片から偏心ピンを立設したクランク部材と、前記支持台の少なくとも四方端部に設けた複数の受皿と、受皿に上載した球体と、揺動基枠の下端部中心部分に設けられ，前記偏心ピンを嵌装する受孔部材と、前記揺動基枠の少なくとも四方端部に設けられ，前記球体に上から嵌合する半球殻状の半球殻体と，で構成してなる木材チップ用異物分離装置。
【請求項３】
廃材Ｓから木材チップＣを取り出すための装置であって、支持台の上に設けられ，揺動機構によって揺動する揺動基枠と、前記揺動基枠に，下流側に向けて下降傾斜する姿勢で固定され，上流側の上面を，左右方向に傾斜する傾斜ガイドで仕切り，該傾斜ガイドより上流側に吹出口散設板を設け，下流側を篩本体とした篩板と、前記篩板の下位に，該篩板と平行に設けた傾斜樋と、前記吹出口散設板の直下から，該吹出口散設板の孔部を通して上方に空気を送る第一送風機構と、前記吹出口散設板の上面で，前記傾斜ガイドの下流寄り端部から上流寄り端部に向けて空気を送る第二送風機構と，を備え、前記揺動機構を，前記支持台の中心部から立設され，モーターによって回転する回転主軸から水平方向に腕片を横設し、該腕片から偏心ピンを立設したクランク部材と、前記支持台の少なくとも四方端部に設けた複数の受皿と、受皿に上載した球体と、揺動基枠の下端部中心部分に設けられ，前記偏心ピンを嵌装する受孔部材と、前記揺動基枠の少なくとも四方端部に設けられ，前記球体に上から嵌合する半球殻状の半球殻体と，で構成し、前記篩板と傾斜樋との間に，前記篩板より細かい目を有する二次篩板を設けてなる請求項１または２に記載の木材チップ用異物分離装置。
【請求項４】
廃材Ｓから木材チップＣを取り出すための装置であって、支持台の上に設けられ，揺動機構によって揺動する揺動基枠と、前記揺動基枠に，下流側に向けて下降傾斜する姿勢で固定され，上流側の上面を，左右方向に傾斜する傾斜ガイドで仕切り，該傾斜ガイドより上流側に吹出口散設板を設け，下流側を篩本体とした篩板と、前記篩板の下位に，該篩板と平行に設けた傾斜樋と、前記吹出口散設板の直下から，該吹出口散設板の孔部を通して上方に空気を送る第一送風機構と、前記吹出口散設板の上面で，前記傾斜ガイドの下流寄り端部から上流寄り端部に向けて空気を送る第二送風機構と，を備え、前記揺動機構を，前記支持台の中心部から立設され，モーターによって回転する回転主軸から水平方向に腕片を横設し，該腕片から偏心ピンを立設したクランク部材と，前記支持台の少なくとも四方端部に設けた複数の受皿と，前記受皿に上載した球体と，前記揺動基枠の下端部中心部分に設けられ，前記偏心ピンを嵌装する受孔部材と，前記揺動基枠の少なくとも四方端部に設けられ，前記球体に上から嵌合する半球殻状の半球殻体と，で構成し、前記篩板と傾斜樋との間に，前記篩板より細かい目を有する二次篩板を設け、前記第一送風機構および第二送風機構は，前記篩板の揺動に対応するためのフレキシブルホースを備えるものとし、前記吹出口散設板の，前記傾斜ガイドの下流寄り端部に異物排出口を設けてなる木材チップ用異物分離装置。
【考案の詳細な説明】
【技術分野】
【０００１】
本考案は、廃材から異物を分離して木材チップ（バーク（樹皮）を含む）を取り出すための木材チップ用異物分離装置に関するものである。
【背景技術】
【０００２】
木材のリサイクルが求められている昨今、廃材から異物を分離して木材チップを取り出す装置の重要性が増している。これまで、廃材から異物を分離して木材チップを取り出す装置として、例えば、特許文献１に記載のものがある。
【０００３】
【特許文献１】特開２００６−０５１６６６号公報
【０００４】
この装置は、傾斜させて配置した篩の上に堰を設け、その堰で滞留した廃材の中から比重差によって上層に位置し、堰を乗り越えた木材チップを取り出すものである。
【考案の開示】
【考案が解決しようとする課題】
【０００５】
しかし、この従来の装置は、堰を乗り越えた木材チップを取り出すものであるため、例えば、廃材中に多くの異物が含まれていると、その異物が堰を乗り越えてしまうので、木材チップのみを確実に選別することが困難である。また、木材チップが堰を乗り越えるのを待つ必要があるので、取り出しに多くの時間を要する。
【０００６】
本考案はこうした問題に鑑み創案されたもので、確実かつ短時間に、廃材から木材チップを取り出すことのできる装置を提供することを課題とする。
【課題を解決するための手段】
【０００７】
図１乃至図７を参照して説明する。請求項１に記載の木材チップ用異物分離装置１は、廃材Ｓから木材チップＣを取り出すための装置であって、支持台７０の上に設けられ、揺動機構２０によって揺動する揺動基枠１０と、前記揺動基枠１０に、下流側に向けて下降傾斜する姿勢で固定され、上流側の上面を、左右方向に傾斜する傾斜ガイド３３で仕切り、当該傾斜ガイド３３より上流側に吹出口散設板３２を設け、下流側を篩本体３１とした篩板３０と、前記篩板３０の下位に、当該篩板３０と平行に設けた傾斜樋４０と、前記吹出口散設板３２の直下から、当該吹出口散設板３２の孔部３２ａを通して上方に空気Ａを送る第一送風機構５０と、前記吹出口散設板３２の上面で、前記傾斜ガイド３３の下流寄り端部Ｄから上流寄り端部Ｕに向けて空気Ａを送る第二送風機構６０と、を備えてなるものである。
【０００８】
請求項２に記載の木材チップ用異物分離装置１は、請求項１に記載の考案に加えて、揺動機構２０を、支持台７０の中心部から立設され、モーター２２によって回転する回転主軸２３から水平方向に腕片２４を横設し、当該腕片２４から偏心ピン２５を立設したクランク部材２１と、前記支持台７０の少なくとも四方端部に設けた複数の受皿２６と、前記受皿２６に上載した球体２７と、揺動基枠１０の下端部中心部分に設けられ、前記偏心ピン２５を嵌装する受孔部材２８と、前記揺動基枠１０の少なくとも四方端部に設けられ、前記球体２７に上から嵌合する半球殻状の半球殻体２９と、で構成してなるものである。
【０００９】
請求項３に記載の木材チップ用異物分離装置１は、請求項２に記載の考案に加えて、篩板３０と傾斜樋４０との間に、前記篩板３０より細かい目を有する二次篩板８０を設けてなるものである。
【００１０】
請求項４に記載の木材チップ用異物分離装置１は、廃材Ｓから木材チップＣを取り出すための装置であって、支持台７０の上に設けられ、揺動機構２０によって揺動する揺動基枠１０と、前記揺動基枠１０に、下流側に向けて下降傾斜する姿勢で固定され、上流側の上面を、左右方向に傾斜する傾斜ガイド３３で仕切り、当該傾斜ガイド３３より上流側に吹出口散設板３２を設け、下流側を篩本体３１とした篩板３０と、前記篩板３０の下位に、当該篩板３０と平行に設けた傾斜樋４０と、前記吹出口散設板３２の直下から、当該吹出口散設板３２の孔部３２ａを通して上方に空気Ａを送る第一送風機構５０と、前記吹出口散設板３２の上面で、前記傾斜ガイド３３の下流寄り端部Ｄから上流寄り端部Ｕに向けて空気Ａを送る第二送風機構６０と、を備えるものである。
【００１１】
また、前記揺動機構２０を、前記支持台７０の中心部から立設され、モーター２２によって回転する回転主軸２３から水平方向に腕片２４を横設し、当該腕片２４から偏心ピン２５を立設したクランク部材２１と、前記支持台７０の少なくとも四方端部に設けた複数の受皿２６と、前記受皿２６に上載した球体２７と、前記揺動基枠１０の下端部中心部分に設けられ、前記偏心ピン２５を嵌装する受孔部材２８と、前記揺動基枠１０の少なくとも四方端部に設けられ、前記球体２７に上から嵌合する半球殻状の半球殻体２９と、で構成している。
【００１２】
また、前記篩板３０と傾斜樋４０との間に、前記篩板３０より細かい目を有する二次篩板８０を設け、前記第一送風機構５０および第二送風機構６０は、前記篩板３０の揺動に対応するためのフレキシブルホース５１を備えるものとし、前記吹出口散設板３２の、前記傾斜ガイド３３の下流寄り端部Ｄに異物排出口３４を設けている。
【考案の効果】
【００１３】
請求項１に記載の木材チップ用異物分離装置１は、篩板３０を揺動機構２０によって揺動させながら、第一送風機構５０によって、吹出口散設板３２の直下から、その孔部３２ａを通して上方に空気Ａを送るので、吹出口散設板３２の上に位置する廃材Ｓのうち、比重の軽い木材チップＣのみを上方に飛ばし、傾斜ガイド３３を超えて、下流側の篩本体３１に送ることができる。この際、篩板３０に設けられた吹出口散設板３２は前方に傾斜しているので、その孔部３２ａを通過する空気Ａは前方斜め上方に流れる。従って、吹出口散設板３２上の木材チップＣは、前方斜め上方に送られ、篩本体３１の上面に落下する。
【００１４】
ここで、吹出口散設板３２の上面においては、第二送風機構６０によって、傾斜ガイド３３の下流寄り端部Ｄから上流寄り端部Ｕに向けて空気Ａを送るので、揺動作用によって傾斜ガイド３３の下流寄り端部Ｄに集まってくる廃材Ｓを、上流寄りに押し戻し、吹出口散設板３２の上に散在させることができる。これによって、より効果的に木材チップＣを前方斜め上方に飛ばし、篩本体３１に送ることができる。
【００１５】
また、篩本体３１の上面に落下した木材チップＣは、篩本体３１の目より大きいものがそこに残存して流下し、集められる。また、篩本体３１の目より小さいものは、そこから落下し、傾斜樋４０に達した後、搬出される。また、吹出口散設板３２の上に残存した異物Ｆは、揺動作用によって傾斜ガイド３３の下流寄り端部Ｄに移動し、そこから排出される。このようにして、廃材Ｓから木材チップＣのみを確実に、かつ短時間に取り出すことができる。
【００１６】
請求項２に記載の木材チップ用異物分離装置１は、請求項１に記載の考案と同様の効果を発揮する。また、揺動機構２０を、クランク部材２１を回転させて、それを受孔部材２８で受けて揺動基枠１０を揺動させるようにし、また、揺動基枠１０を、それに設けた半球殻体２９および球体２７を介して受皿２６で受ける構成としたので、当該揺動基枠１０を安定姿勢で揺動させることができる。これによって、篩板３０を安定して揺動させることができる。
【００１７】
請求項３に記載の木材チップ用異物分離装置１は、請求項１および２に記載の考案と同様の効果を発揮する。また、篩板３０と傾斜樋４０との間に、篩板３０より細かい目を有する二次篩板８０を設けたので、木材チップＣをその大きさによって選別することができる。従って、必要とする大きさの木材チップＣを確保することができる。
【００１８】
請求項４に記載の木材チップ用異物分離装置１は、請求項１、２および３に記載の考案と同様の効果を発揮する。また、第一送風機構５０および第二送風機構６０は、篩板３０の揺動に対応するためのフレキシブルホース５１を備えるものとしているので、篩板３０の揺動をフレキシブルホース５１が吸収する。従って、篩板３０の揺動を阻害しない。また、第一送風機構５０および第二送風機構６０は、篩板３０の揺動に影響を受けず、円滑に作動する。
【００１９】
また、吹出口散設板３２の、傾斜ガイド３３の下流寄り端部Ｄに異物排出口３４を設けているので、吹出口散設板３２に残存した異物Ｆを、その自重によって自動的に排出することができる。
【考案を実施するための最良の形態】
【００２０】
本考案に係る木材チップ用異物分離装置１の実施形態を、図１乃至図７に示す。これは、建築現場等から産出した廃材Ｓから、リサイクル用の木材チップＣを取り出すための装置であり、揺動基枠１０、篩板３０、傾斜樋４０、第一送風機構５０、第二送風機構６０および第二送風機構６０を備える。
【００２１】
揺動基枠１０は、基台９０に固定された支持台７０の上に設けられ、揺動機構２０によって揺動する。篩板３０は、揺動基枠１０に、下流側に向けて下降傾斜する姿勢で固定され、上流側の上面を、左右方向に傾斜する傾斜ガイド３３で仕切り、その傾斜ガイド３３より上流側に多数の孔部３２ａを有する吹出口散設板（パンチングメタル）３２を設け、下流側を無数の目を有する篩本体３１としている。
【００２２】
傾斜樋４０は、篩板３０の下位に、当該篩板３０と平行に配置している。第一送風機構５０は、吹出口散設板３２の直下から、吹出口散設板３２の孔部３２ａを通して上方に空気Ａを送るもので、送風機５２、フレキシブルホース５１、第一供給管５３、および第一送風管５４を備える。第二送風機構６０は、吹出口散設板３２の上面で、傾斜ガイド３３の下流寄り端部Ｄから上流寄り端部Ｕに向けて空気Ａを送るもので、送風機５２、フレキシブルホース５１、第二供給管６１、および第二送風管６２を備える。なお、送風機５２とフレキシブルホース５１は、第一送風機構５０と第二送風機構６０とで共有している。フレキシブルホース５１には、柔軟性を高めるために蛇腹部５１ａを形成している。
【００２３】
なお、本実施形態では、揺動機構２０を、図６および図７に示すように、クランク部材２１、受孔部材２８、受皿２６、球体２７、および半球殻体２９で構成している。クランク部材２１は、支持台７０の中心部から立設され、モーター２２によって回転する回転主軸２３から水平方向に腕片２４を横設し、その腕片２４から偏心ピン２５を立設したものである。受孔部材２８は、揺動基枠（１０）の下端部中心部分に設けられ、偏心ピン２５を嵌装する。
【００２４】
受皿２６は断面が円弧面を有する皿状であり、支持台７０の上端部の四方端部に設けている。球体２７は球状であり、受皿２６に上載している。半球殻体２９は半球殻状であり、揺動基枠１０の上端部の四方端部に設けられ、球体２７に上から嵌合するものである。
【００２５】
さらに、本実施形態では、篩板３０と傾斜樋４０との間に、篩板３０より細かい目を有する二次篩板８０を設けている。また、吹出口散設板３２の一方端部側（傾斜ガイド３３の下流寄り端部Ｄ）には、異物Ｆを排出するための異物排出口３４を設けている。また、吹出口散設板３２より上流側部分を、廃材Ｓを投入する廃材投入部３５としている。
【００２６】
本実施形態に係る木材チップ用異物分離装置１は、次のように作動する。まず、揺動機構２０を駆動し、篩板３０を水平および上下方向に揺動させた状態で、廃材Ｓを、廃材投入部３５に投入する。投入された廃材Ｓは、篩板３０の傾斜に沿って前進して吹出口散設板３２に達し、第一送風機構５０によって下から空気を受ける。そして、廃材Ｓに含まれ、比重の軽い木材チップＣのみがその空気によって舞い上がり、傾斜ガイド３３を超えて篩本体３１に達する。
【００２７】
この空気は、吹出口散設板３２（篩板３０）が前方に下降傾斜しているため、その孔部３２ａを通過することによって前方斜め上方に流れる。従って、木材チップＣは前方斜め上方に送られ、篩本体３１の上に落下する。一方、吹出口散設板３２に残存した異物Ｆは、異物排出口３４を通過して排出される。
【００２８】
なお、孔部３２ａを、例えば、前方斜め上方向に傾斜させて形成することによって、空気の流れをさらに前方斜め上方向に向けることができる。また、孔部３２ａに代えて、筒状の導通管を設け、その導通管の向きを前方斜め上方に向けることによって同様の効果を得ることができる。
【００２９】
なお、廃材Ｓは、篩板３０が前方に下降傾斜し、かつ、揺動するので、吹出口散設板３２の一方端部（傾斜ガイド３３の下流寄り端部Ｄ）に集まるが、それを第二送風機構６０が押し戻すので、吹出口散設板３２の上に散在する。従って、木材チップＣを、第一送風機構５０の空気によって、確実に、かつ短時間で篩本体３１に送ることができる。
【００３０】
篩本体３１に送られた木材チップＣは、篩本体３１の目より小さいものがそこから二次篩板８０に落下し、それより大きいものが、そのまま下流側に移動し、搬出される。また、二次篩板８０に落下した木材チップＣのうち、二次篩板８０の目より小さいものがそこから落下して傾斜樋４０に送られ搬出され、それより大きいものが二次篩板８０を下流側に移動して、そこから搬出される。従って、木材チップＣを、大きさ毎に選別することができる。
【００３１】
なお、本実施形態では、揺動機構２０を、クランク部材２１を回転させて、それを受孔部材２８で受けて揺動基枠１０を揺動させるようにし、また、揺動基枠１０を、それに設けた半球殻体２９および球体２７を介して受皿２６で受ける構成としているので、揺動基枠１０を安定して揺動させることができる。また、これに伴い、篩板３０を安定して揺動させることができるので、廃材Ｓから異物Ｆを確実に分離し、木材チップＣを容易に取り出すことができる。
【００３２】
なお、本実施形態における木材チップ用異物分離装置１は、第一送風機構５０および第二送風機構６０のそれぞれに共通するフレキシブルホース５１を備えているので、篩板３０が揺動して、第一供給管５３、第一送風管５４、第二供給管６１、および第二送風管６２が共に揺動しても、その揺動をフレキシブルホース５１が吸収する。従って、篩板３０の揺動を阻害しない。また、第一送風機構５０および第二送風機構６０は、篩板３０の揺動に影響を受けず駆動する。
【００３３】
また、本実施形態の異物分離装置１においては、傾斜ガイド３３、第一送風機構５０および第二送風機構６０を、篩板３０のみに設けているが、本考案はこれに限定されるものではなく、二次篩板８０にも同様に設けることができる。
【００３４】
なお、本実施形態に係る異物分離装置１には、図８のフローチャートに示すように、定量供給装置から、鉄を磁選機に送る振動コンベアを経由した異物と、集塵装置からの異物が投入されるものである。
【図面の簡単な説明】
【００３５】
【図１】本考案に係る木材チップ用異物分離装置の実施形態を示す側面図である。
【図２】図１に示す装置の平面図である。
【図３】図１に示す装置の右正面図である。
【図４】図２のＸ−Ｘ線端面図である。
【図５】図１に示す装置の送風機構の働きを示す部分斜視図である。
【図６】図１に示す装置の揺動機構を示す一部断面拡大側面図である（クランク部材部分を示す）。
【図７】図１に示す装置の揺動機構を示す一部断面拡大側面図である（受皿部分を示す）。
【図８】本発明に係る木材チップ用異物分離装置を含めた廃材の処理フローを示すフローチャートである。
【符号の説明】
【００３６】
１        異物分離装置
１０      揺動基枠
２０      揺動機構
２１      クランク部材
２２      モーター
２３      回転主軸
２４      腕片
２５      偏心ピン
２６      受皿
２７      球体
２８      受孔部材
２９      半球殻体
３０      篩板
３１      篩本体
３２      吹出口散設板
３２ａ    孔部
３３      傾斜ガイド
３４      異物排出口
３５      廃材投入部
４０      傾斜樋
５０      第一送風機構
５１      フレキシブルホース
５１ａ    蛇腹部
５２      送風機
５３      第一供給管
５４      第一送風管
６０      第二送風機構
６１      第二供給管
６２      第二送風管
７０      支持台
８０      二次篩板
９０      基台
Ａ        空気
Ｃ        木材チップ
Ｄ        下流寄り端部
Ｆ        異物
Ｓ        廃材
Ｕ        上流寄り端部
【図１】
0003134469.tif 000003
【図２】
0003134469.tif 000004
【図３】
0003134469.tif 000005
【図４】
0003134469.tif 000006
【図５】
0003134469.tif 000007
【図６】
0003134469.tif 000008
【図７】
0003134469.tif 000009
【図８】
0003134469.tif 000010